(57)【要約】【課題】従来は、照度センサが固定されているために、検出方向を変更して照度検出位置を様々な位置に対して設定することができなかった。【解決手段】照度を局所的に検出する照度センサと、該照度センサにより局所的に検出する検出位置を可変とすべく前記照度センサを可動する可動機構とを備える構成であるため、様々な位置に対して照度検出位置を設定することが可能で、所望の領域における照度を局所的に検出することが可能となる。【選択図】図１
2010223924.tif 000002
【特許請求の範囲】
【請求項１】
照度を局所的に検出する照度センサと、
該照度センサにより局所的に検出する検出位置を可変とすべく前記照度センサを可動する可動機構とを備えることを特徴とする照度検出装置。
【請求項２】
前記照度センサは、該照度センサの検出角を制限する検出角制限部材をさらに備えることを特徴とする請求項１に記載の照度検出装置。
【請求項３】
前記可動機構は、前記照度センサとともに回動する回動機構であることを特徴とする請求項１又は請求項２に記載の照度検出装置。
【請求項４】
前記回動機構は、球殻形の回動部と該回動部に接して支持する支持部とからなることを特徴とする請求項３に記載の照度検出装置。
【請求項５】
検出位置をユーザーに知らせるための検出位置報知手段をさらに有することを特徴とする請求項１から請求項４のいずれか一つに記載の照度検出装置。
【請求項６】
前記検出位置報知手段は、位置情報受信部により信号光が受信されたことを出力することによって検出位置を報知することを特徴とする請求項５に記載の照度検出装置。
【請求項７】
前記検出位置報知手段は、報知用照明であることを特徴とする請求項５に記載の照度検出装置。
【請求項８】
前記報知用照明の光軸と前記照度センサの検出方向が略平行であることを特徴とする請求項７に記載の照度検出装置。
【請求項９】
前記報知用照明は補助スポット照明として用いられることを特徴とする請求項７または請求項８に記載の照度検出装置。
【請求項１０】
請求項１から請求項９のいずれか一つに記載の照度検出装置を備えた照明装置であって、
前記照度検出装置にて検出された照度に基づいて光源を制御する制御部を備えたことを特徴とする照明装置。
【請求項１１】
遠隔操作端末と該遠隔操作端末から前記可動機構を動作するための信号光を受信する動作信号受信部をさらに備え、
前記制御部は、前記可動機構を動作するための信号光に含まれる制御信号に基づいて前記照度検出装置の検出方向制御機構を制御することを特徴とする請求項１０に記載の照明装置。
【請求項１２】
照度を局所的に検出する照度センサを可動機構を用いて可動し、
照度を検出する照度検出位置を設定し、
該設定された照度検出位置の照度を検出することを特徴とする照度検出方法。
【請求項１３】
照度を局所的に検出する照度センサを可動機構を用いて可動し、
照度を検出する照度検出位置を設定し、
該設定された照度検出位置の照度を検出し、
前記検出された照度に基づいて光源を制御することを特徴とする照明方法。
【発明の詳細な説明】
【技術分野】
【０００１】
本発明は、照度を局所的に検出する照度検出装置及び照度検出方法に関し、特に、様々な位置に対して照度検出位置を設定することが可能で、所望の領域における照度を局所的に検出するために用いて好適な照度検出装置及び照度検出方法に関する。
【０００２】
さらに本発明は、前記照度検出装置若しくは前記照度検出方法にて検出された照度に基づいて最適な照度が得られるべく光源を制御して照明する照明装置及び照明方法に関する。
【背景技術】
【０００３】
従来の照度検出装置、照明装置、照度検出方法及び照明方法には、例えば、配設された照度センサを用いて、特定位置の検出された照度に基づいて光源の明るさを制御するものがある（特許文献１参照）。
【０００４】
以下、図１９により、従来の照度検出装置及び照度検出方法について説明する。図１９において、器具本体９０の外面に設けられた小開口９１に臨んで器具本体９０内に配設された照度センサ９２の検出結果に基づいて光源の明るさを制御するもので、前記小開口９１の検出開口面積、及び／又は前記照度センサ９２との相対位置を変化させ前記照度センサ９２の検出範囲を調整する遮光手段９３を設けて、該遮光手段９３を再調整自在となるよう装着させてなるものである。
【先行技術文献】
【特許文献】
【０００５】
【特許文献１】特開２００１−２４３８２８号公報
【発明の概要】
【発明が解決しようとする課題】
【０００６】
上記のような構成において、前記照度センサ９２は器具本体９０に対して固定されており、該照度センサ９２の検出方向に設けられた前記小開口９１も固定された位置にあるため、前記照度センサの検出範囲Ｓ９は、前記照度センサ９２と前記小開口９１との位置関係によって固定され、また、制限される。
【０００７】
そして、前記照度センサ９２の検出範囲Ｓ９を調整すべく設けられた遮光手段９３は、前記小開口９１の検出開口面積や前記照度センサ９２との相対位置を変化させ、前記検出範囲Ｓ９をさらに制限することによって、照度センサ９２の検出範囲を前記検出範囲Ｓ９より狭められた範囲にて再調整するものである。
【０００８】
つまり、照明装置９の照度センサ９２にて照度を検出することが可能な範囲は、まず、前記小開口９１にて検出範囲Ｓ９に制限された後、前記遮光手段９３によってさらに制限されることによって決定される。
【０００９】
しかし、前記照度センサ９２及び前記小開口９１が固定されているために、前記検出範囲Ｓ９もまた固定されている。そして、該検出範囲Ｓ９が固定されていることにより、前記遮光手段９３を用いて検出範囲を再調整したとしても、前記照度センサ９２の検出範囲は前記検出範囲Ｓ９内の一部の範囲となるのみであった。
【００１０】
つまり、上記のような検出範囲の調整では、前記照明装置９の使用者が所望する位置で、局所的な領域における照度を検出することが満足に行えない場合があり、例えば、前記検出範囲Ｓ９にて検出できる領域と全く重なることのない他の領域における照度を検出することはできなかった。
【００１１】
また、前記照明装置９は前記遮光手段９３のような検出範囲を再調整する手段を有してはいるものの、あくまで固定された前記検出範囲Ｓ９内のさらに一部の範囲における照度の検出を行うものであるため、調整可能な検出範囲が非常に限られている。
【００１２】
さらに、前記照度センサ９２が固定されていることで、前記照度センサ９２の検出軸９２ａもまた固定されているために、検出軸９２ａを動かして照度センサ９２の検出方向を変更することもできず、照度検出位置を様々な位置に対して設定することができない。
【００１３】
本発明は、このような従来の構成が有していた課題を解決しようとするものであり、様々な位置に対して照度検出位置を設定することが可能で、所望の領域における照度を局所的に検出することを可能とする照度検出装置、照明装置、照度検出方法及び照明方法を提供することを目的とするものである。
【課題を解決するための手段】
【００１４】
本発明の照度検出装置は、照度を局所的に検出する照度センサと、該照度センサにより局所的に検出する検出位置を可変とすべく前記照度センサを可動する可動機構とを備えることを特徴とする。
【００１５】
本発明の照度検出装置にあっては、様々な位置に対して照度検出位置を設定することが可能で、所望の領域における照度を局所的に検出することを可能とする照度検出装置を実現できる。
【００１６】
本発明の照明装置は、前記照度検出装置にて検出された照度に基づいて光源を制御する制御部を備えたことを特徴とする。
【００１７】
本発明の照明装置にあっては、前記照度検出装置にて検出された局所的な照度に基づいて、検出位置付近の領域で最適な照度が得られるべく光源を制御して照明することを可能とする照明装置を実現できる。
【００１８】
本発明の照度検出方法は、照度を局所的に検出する照度センサを可動機構を用いて可動し、照度を検出する照度検出位置を設定し、該設定された照度検出位置の照度を検出することを特徴とする。
【００１９】
本発明の照度検出方法にあっては、様々な位置に対して照度検出位置を設定することが可能で、所望の領域における照度を局所的に検出することが可能となる。
【００２０】
本発明の照明方法は、照度を局所的に検出する照度センサを可動機構を用いて可動し、照度を検出する照度検出位置を設定し、該設定された照度検出位置の照度を検出し、前記検出された照度に基づいて光源を制御することを特徴とする。
【００２１】
本発明の照明方法にあっては、検出された局所的な照度に基づいて、検出位置付近の領域で最適な照度が得られるべく光源を制御して照明することが可能となる。
【発明の効果】
【００２２】
本発明の照度検出装置、照明装置、照度検出方法及び照明方法によれば、照度を局所的に検出する照度センサと、該照度センサにより局所的に検出する照度検出位置を可変とすべく照度センサを可動する可動機構とを備える構成であるため、様々な位置に対して照度検出位置を設定することが可能で、所望の領域における照度を局所的に検出することを可能となる。
【図面の簡単な説明】
【００２３】
【図１】本発明の実施例１を示す照明装置の斜視図である。
【図２】図１の領域Ａの要部拡大図である。
【図３】本発明の実施例１における照度検出装置の分解斜視図である。
【図４】本発明の実施例１における照度検出装置の回動部の斜視図である。
【図５】図４の照度検出装置のＩ−Ｉ線における断面図である。
【図６】本発明の実施例１における照度検出装置の回動動作の説明図である。
【図７】本発明の実施例１を示す照明装置を室内の天井面に設置した場合の概略説明図である。
【図８】図７の室内の照明環境を変更した場合の概略説明図である。
【図９】本発明の実施例１の照度検出装置を備えた照明装置の調光動作を説明するための動作フロー図である。
【図１０】本発明の実施例１の照度検出装置のレーザーポインタの動作を説明するための動作フロー図である。
【図１１ａ】本発明の実施例１における照度検出装置の遮光筒の他の形態を示す断面図である。
【図１１ｂ】本発明の実施例１における前記遮光筒のもう一つの他の形態を示す断面図である。
【図１２】本発明の実施例２の照度検出装置の回動部の断面図である。
【図１３】本発明の実施例３の照度検出装置の回動部の断面図である。
【図１４】本発明の実施例４の照度検出装置の回動部の断面図である。
【図１５】本発明の実施例５の照度検出装置の回動部の断面図である。
【図１６】遠隔操作端末を用いて検出位置を設定する際の動作フロー図である。
【図１７ａ】回動動作時の検出方向が移動する際の軌跡の一例を示す説明図である。
【図１７ｂ】回動動作時の検出方向が移動する際の軌跡の他の例を示す説明図である。
【図１８】本発明の照度検出装置を備えた照明装置の他の例を示す説明図である。
【図１９】従来の照度検出装置及び照明装置を示す断面図である。
【発明を実施するための形態】
【実施例１】
【００２４】
以下、本発明の実施例１を示す照明装置及び照度検出装置について、図１から図５を参照して説明する。図１は本発明の実施例１を示す照明装置の斜視図、図２は図１の破線にて示す領域Ａの要部拡大図、図３は本発明の実施例１を示す照度検出装置の分解斜視図、図４は本発明の実施例１を示す照度検出装置の回動部の斜視図、図５は図４の照度検出装置の回動部のＩ−Ｉ線における断面図である。
【００２５】
本発明の照明装置１は、図１及び図２に示すように、照明装置外装部１１と、該照明装置外装部１１内側に配設された光源（図示せず）と、該光源の照明方向ｄ１に設けられた光源カバー１２と、前記照明装置外装部１１と該照明装置外装部１１の一方の端部に設けられた光源カバー固定手段１１０ａとの間に設けられた照度検出装置２とからなる。
【００２６】
上述の構成において、本発明の照明装置１に用いる照明装置外装部１１は、アルミニウム等の熱伝導性（放熱性）の高く軽い金属にて樋形状に形成され、設置側主面１１ａには凸状段差が設けられ、前記光源を駆動するための回路や、配線等が収納されている。
【００２７】
なお、前記照明装置外装部１１の両端には、光源カバー固定手段１１０ａ，１１０ｂが設けられ、一方の光源カバー固定手段１１０ａには後述する照度検出装置２の一部を露出させるためのカバー側孔１１１が設けられている。
【００２８】
また、前記光源は、ＬＥＤ等の指向性の高い発光素子が多数用いられてなり、照明装置外装部１１の設置側主面１１ａ全面に渡って配設されている。
【００２９】
さらに、前記光源カバー１２は、透明若しくは半透明の樹脂材料からなる板状部材であり、前記照明装置外装部１１に装着され、該照明装置外装部１１とともに前記照明装置１に内蔵される前記光源、回路、配線等を収納するものである。
【００３０】
次に、本発明の照度検出装置２について説明する。本発明の照度検出装置２は、図３から図５に示す通り、様々な位置での照度を検出するために検出方向を調整すべく照度検出装置２内で回動し、指定された位置の照度を局所的に検出する検出部である回動部２１と、該回動部２１を擦り接触により回動可能に支持する支持機構である支持部２２からなる。
【００３１】
上述の構成において、前記回動部２１は、様々な位置での照度を検出すべく回動し、照度を検出する検出方向２１ａから入射する光を検出することで、照度を出力する。
【００３２】
また、前記支持部２２は、検出方向２１ａ前方側の前方支持部２３と検出方向２１ａ後方側の後方支持部２４とからなり、前記前方支持部２３と後方支持部２４との間に前記回動部２１を狭持して支持するものである。
【００３３】
ここで、前記前方支持部２３は、前記照明装置１の一方の端部に設けられた光源カバー固定手段１１０ａに沿った形状を有し、前記回動部２１と接触する中央部分には、該回動部２１の内部に設けられた照度センサ２５へ光を入射させるための、また、前記回動部２１に擦り接触可能に外接するための検出用孔２３ａを備えている。
【００３４】
そして、前記後方支持部２４は、前記回動部２１に擦り接触可能に外接し、また、前記回動部２１内部に配設する照度センサ２５等の電子部品に電力を供給するための配線が通る配線用孔２４ａを前記後方支持部２４の中央付近に備えている。
【００３５】
さらに、前記前方支持部２３の端部４箇所には、前記前方支持部２３と後方支持部２４とを固定するための固定用ネジ４１ａが挿通するネジ挿通孔４１ｂが設けられ、また、後方支持部２４の端部４箇所、前記前方支持部２３の端部４箇所に対応する位置には前記固定用ネジ４１ａと螺合する雌ネジ４１ｃが設けられており、前記固定用ネジ４１ａ、ネジ挿通孔４１ｂ及び雌ネジ４１ｃにより螺合機構４１が構成されている。
【００３６】
そして、前記螺合機構４１により、前記前方支持部２３と後方支持部２４の間に前記回動部２１を挟持して固定することで、前記回動部２１は擦り接触による固定及び回動が可能となる。
【００３７】
次に、本発明の照度検出装置２の検出部である回動部２１の詳細について説明する。本発明の照度検出装置２の回動部２１は、図４に示す通り、照度を検出する照度センサ２５と、前記照度センサ２５の周囲を囲むように備えられ、前記照度センサ２５の光軸であり検出軸でもある検出方向２１ａに対して所定の角度以上で入射する光を遮光して検出角を制限する検出角制限手段である円筒形状の遮光筒２６と、前記照度センサ２５の検出方向を使用者へ報知するための検出位置報知手段である報知用照明としてのレーザーポインタ２７とが配設された配設基板２８と、該配設基板２８を固定する略球状の回動部外装２１０とからなる。
【００３８】
上述の構成において、前記照度センサ２５は、フォトトランジスタ、フォトダイオード、フォトレジスタ等のセンサ素子からなり、前記照度センサ２５に入射する光の量を電気信号に変換して出力することで、照度を検出する。
【００３９】
また、前記照度センサ２５の周囲に設けられた前記遮光筒２６は、前記照度センサ２５よりやや大きな直径の円筒形状を有し、該円筒の外壁面に当たる光を円筒内部に透過しない程度の遮光性を有する素材にて形成されている。
【００４０】
なお、前記照度センサ２５の照度を検出する方向である検出方向２１ａは、前記照度センサ２５の検出軸と同一方向であり、前記配設基板２８に対して略垂直な方向に設定されるものである。
【００４１】
そして、前記遮光筒２６の一方の端部は、前記照度センサ２５の周囲を囲むように前記配設基板２８に配設され、前記遮光筒２６の他方の端部は外部からの光が入射可能にすべく開口している。なお、該開口から入射する光は前記照度センサ２５にて検出される。
【００４２】
ここで、前記遮光筒２６の円筒中心と前記照度センサ２５の検出軸である検出方向２１ａは略一致すべく設けられることが望ましい。本実施例１にて用いる照度センサ２５は、検出軸上の感度が最も良好なセンサであり、前記遮光筒２６の円筒の中心と前記照度センサ２５の検出軸である検出方向２１ａとを略一致するよう設けることで、良好な感度を得ることができる。
【００４３】
なお、前記照度センサ２５が照度を検出できる角度である検出角θは、図５に示す通り、前記照度センサ２５の中央の点から前記遮光筒２６の他方の端部の開口の内側の点へと結ぶ直線と、前記照度センサ２５の検出軸である検出方向２１ａとがなす角度によって定義される。
【００４４】
さらに、前記遮光筒２６の内壁面は、できるだけ反射率の少ない素材や色であることが望ましい。反射率の低い素材や色を選択することにより、前記角度θを超える角度で入射した光が、前記遮光筒２６の内壁面で反射を繰り返して前記照度センサ２５に入射する可能性が低くなることで、前記検出方向２１ａと為す角度が検出角θ以内の光を前記照度センサ２５に入射させることが可能になり、適切な検出角の制限及び局所的な照度の検出ができるようになる。
【００４５】
また、検出位置報知手段である前記レーザーポインタ２７は、半導体レーザーを用いた極めて指向性の高い発光素子であり、前記遮光筒２６付近に配設されて略一直線に延びる光線を発して使用者に前記照度センサ２５の検出位置を報知することで検出方向を報知する。
【００４６】
なお、前記レーザーポインタ２７の発する光線、若しくは、前記レーザーポインタ２７の光軸２７ａは、前記照度センサ２５の検出方向２１ａと略並行であることが望ましい。
【００４７】
なぜなら、前記光軸２７ａと検出方向２１ａが平行であれば、前記レーザーポインタ２７が示す位置と前記照度センサ２５の検出位置の差が前記レーザーポインタ２７と前記照度センサ２５間の距離で一定に保たれるため、前記照度検出装置２から照度を検出する対象までの距離によらず、正確な検出位置の報知ができるためである。
【００４８】
そして、前記配設基板２８は、四角形状のプリント基板であり、前記照度センサ２５と、前記遮光筒２６と、前記レーザーポインタ２７が配設されてなるものである。
【００４９】
さらに、前記配設基板２８の四隅には、該配設基板２８を前記回動部外装２１０に配設するための雄ネジが挿通するためのネジ挿通穴が設けられている。
【００５０】
また、前記回動部外装２１０は、略球殻状の外観を有し、内部に前記配設基板２８を配設するための配設台２１１を備えており、該配設台２１１には、前記雄ネジと共に螺合することで前記配設基板２８を配設して固定するための雌ネジが設けられている。
【００５１】
さらに、前記回動部外装２１０は、前記配設基板２８を固定する前記配設台２１１の中央付近に配線２８ａを通すための配線用孔２１１ａを設けている。
【００５２】
そして、前記回動部外装２１０は、前記照度センサ２５の照度の検出を妨げぬよう、また、前記レーザーポインタ２７の発する光線を遮らぬよう、少なくとも前記照度センサ２５及びレーザーポインタ２７を含む領域以上の大きさを有する開口２１０ａを前記照度センサ２５の検出方向２１ａ前方に有している。
【００５３】
なお、前記回動部外装２１０の開口２１０ａ付近には、前記検出方向２１ａを可変に調整するための調整用つまみ２１２が設けられており、前記回動部外装２１０を可動するとともに、該回動部外装２１０に固定された前記配設基板２８、該配設基板２８に配設された前記照度センサ２５等を可動し、前記検出方向２１ａを調整することができる。
【００５４】
次に、上述の照度検出装置２の回動部２１の回動動作について、図６を参照して説明する。なお、図６は本発明の実施例１における照度検出装置２の回動動作を説明する説明図である。
【００５５】
本発明の照度検出装置２は、回動動作を行うことにより前記検出方向２１ａを調整する前記回動部２１と該回動部を支持する前記支持部２２からなる可動機構を有し、さらに、該可動機構の一部として、前記前方支持部２３の検出用孔２３ａと、前記後方支持部２４の配線用孔２４ａと、前記回動部２１とからなる回動機構を有する。
【００５６】
ここで、前記回動部２１の回動動作は、該回動部２１の回動部外装２１０の球殻形状の中心を回動の中心とした回動方向ｄ２に回動することで、前記前方支持部２３の検出用孔２３ａと前記後方支持部２４の配線用孔２４ａとの擦り接触状態を保ちながら、照度を検出する検出部でもある前記回動部２１の検出方向２１ａを変更し調整するものである。
【００５７】
そして、前記回動部２１は、前記回動部外装２１０の球殻形状の中心を回動の中心として任意の方向に回動することが可能であり、前記回動方向ｄ２は、図６に示す方向や、その垂直な方向（紙面に対して垂直な方向）、前記２つの方向を組合せた方向、若しくは、検出軸２１ａを中心に３６０度回転するような方向など、様々な方向を含んでなるものである。
【００５８】
なお、前記前方支持部２３と後方支持部２４とを用いて、前記前方支持部２３と後方支持部２４との間に前記回動部２１を狭持する際、前記回動部２１が回動可能となる程度に固定することが必要である。前記前方支持部２３と後方支持部２４との固定が極端に強固であった場合、前記支持部２２と回動部２１との間の擦り接触部分におけるが摩擦抵抗力が強いために、前記回動部２１及び該回動部２１の検出方向２１ａを様々な位置での照度を検出すべく回動しようとしても、回動すること自体が不可能となり前記検出方向２１ａを様々な位置に調整できなくなることとなる。
【００５９】
また、前記回動部２１の固定が十分でない場合は、前記支持部２２と回動部２１との間の擦り接触部分における摩擦抵抗力が低いために、検出方向２１ａを異なる方向に変更しても、前記回動部２１の重心位置によって最も安定する方向に回動しようとする力を抑えられず、自動的に最も安定する方向へと回動することとなる。
【００６０】
つまり、前記螺合機構４１は、前記回動部２１が回動不能にならない程度の強固な螺合にて擦り接触可能となるように固定する必要があり、また、自動的に回動しない程度の確実な固定がなされることで、さらに、使用者の指定した検出方向２１ａを保つよう、前記螺合機構４１を調整する必要がある。前記螺合機構４１を用いて、前記固定用ネジ４１ａと雌ネジ４１ｃとの螺合の程度を適切に調整することで、前記回動部２１の良好な動作が実現できる。
【００６１】
さらに、前記回動部２１の重心位置は、前記回動部外装２１０の球殻形状の中心と略一致することが望ましい。前記回動部２１の重心位置と前記回動部外装２１０の球殻形状の中心とが略一致していることで、前記回動部２１の重心位置と前記回動部外装２１０の球殻形状の中心との間にモーメントが発生せず、どの方向に検出方向２１ａが向いていても常に重心が安定する。
【００６２】
もしも前記回動部２１の重心位置が前記回動部外装２１０の球殻形状の中心と一致せず、前記回動部２１の重心位置と前記回動部外装２１０の球殻形状の中心との間に極端なモーメントが発生する場合、前記回動部２１は自動的に重心位置の安定する方向へと回動しようするため、前記回動部２１の検出方向２１ａを所望の方向に調整しても、自動的に重心位置の安定する方向へと回動してしまい、調整が不能となってしまう。
【００６３】
上述のように、本発明の実施例１において、照度検出装置２及び該照度検出装置２を備えた照明装置１は、前記照度検出位置を可変とすべく照度センサを動かす可動機構とを備える構成であるため、様々な位置に対して照度検出位置を設定することが可能で、所望の領域における照度を局所的に検出することが可能となる。
【００６４】
次に、前記照明装置１及び前記照度検出装置２の動作について、室内の天井面に設置した場合を例に、図７及び図８を用いて説明する。図７は本発明の実施例１を示す照明装置を室内の天井面に設置した場合の概略説明図、図８は図７の室内の照明環境を変更した場合の概略説明図である。
【００６５】
ここで、前記照明装置１は、図７で示す通り、天井面５１に設置され、鉛直下向き方向を照明方向ｄ１とし、対向する床面５２に対して照明する。
【００６６】
なお、照度検出装置２の検出領域Ａ１は、前記照度センサ２５の検出軸である前記照明方向２１ａと被照明物で照度検出対象物でもある床面５２との交点の位置（検出位置）Ｐ１を中心として、検出方向２１ａに対して角度が０°から検出角θとなるまでの範囲における照度検出対象物の領域によって定義されるものである。
【００６７】
このように、照度検出装置２及び該照度検出装置２を備えた照明装置１は、検出位置Ｐ１を中心とする局所的な検出領域Ａ１の照度を検出するものである。
【００６８】
なお、検出位置の調整は前記調整用つまみ２１２を動かすことで、前記回動部外装２１０の球殻中心を回動中心として回動方向ｄ２へと回動させることにより、検出方向２１ａを変化させ、所望の位置に検出位置を調整することが可能である。
【００６９】
また、前記照度検出装置２及び該照度検出装置２を備えた照明装置１は、図８に示すような照明環境においても所望の検出位置での照度の検出が可能である。図８に示す照明環境は、図７にて示した室内において、外光Ｌ１の差し込む窓５３と、机５４と、該机５４の上に載置されたパソコン等の載置物５５が設けられたものである。
【００７０】
なお、図８において、前記載地物５５は前記机５４の窓側に載置され、前記机５４の窓５３に対して逆側に作業スペースが設けられている。
【００７１】
上述のような照明環境においても、前記照度検出装置２及び該照度検出装置２を備えた照明装置１は、使用者の所望する照度の検出位置Ｐ２における照度の検出が可能である。
【００７２】
例えば、前記作業スペースの中心付近の位置で、前記検出位置Ｐ２は照明装置１に比較的近い地点であるにも関わらず、前記窓５３から差し込む外光Ｌ１が前記載置物５５に遮られるために前記検出位置Ｐ２で前記載置物５５の影が発生して照度が暗くなるような場合、前記検出位置Ｐ２の照度を検出すべく前記検出方向２１ａを調整することが可能である。
【００７３】
そして、検出方向２１ａを調整して局所的に照度を検出し、該照度を検出した局所的な位置で最適な照度が得られるべく照明することが可能となる。
【００７４】
また、机５４を別の位置に移動するなど、使用者の所望する検出位置が変わった際には、前記調整用つまみ２１２を動かすことで、前記回動部外装２１０の球殻形状の中心を回動の中心として回動方向ｄ２へと回動させることにより、検出方向２１ａを変化させ、所望の位置に検出位置を調整することが可能である。
【００７５】
次に、本発明の実施例１における照度検出装置２及び該照度検出装置２を備えた照明装置１の調光動作について、図９を用いて説明する。図９は本発明の実施例１の照度検出装置２を備えた照明装置１の調光動作を説明するための動作フロー図である。
【００７６】
まず、ステップＳ１で照度の検出を行うべく、照度検出を支持する照度検出コマンドが入力される。なお、該照度検出コマンドはリモコンなどの遠隔操作端末を用いて、検出コマンド受信部（図示せず）によって入力される。該検出コマンド受信部は、前記照度検出装置２に設けられても良いし、前記照明装置１に設けられ、受信した信号を前記照度検出装置に送信しても良い。また、前記照度検出装置２に電力が供給された後は、該照度検出装置２は常に照度を検出するものとしても良い。
【００７７】
そして、ステップＳ２では、前記照度検出コマンドによって得られた照度の検出値と予め設定している基準値とを比較する。比較の結果、検出値と基準値が略同じであれば、フローは終了し、略同じでなかった場合、ステップＳ３に移る。
【００７８】
なお、ステップＳ２では、基準値に対して±１０％以内の範囲に入っていれば、略同じであると判断するものとする。
【００７９】
そして、ステップＳ３では、検出値と基準値の値を比較し、検出値が基準値以下の場合、照明を明るくすべく、増光コマンドを出力し（ステップＳ４）、検出値が基準値より大きい場合、照明を暗くすべく、減光コマンドを出力する（ステップＳ５）。
【００８０】
さらに、ステップＳ４又はステップＳ５の後は、再びＳ１に戻り、照度を検出し、検出値と基準値が略同じになるまで、ステップＳ１からステップＳ５までの照度検出−調光動作を繰り返すこととなる。
【００８１】
なお、上記の調光動作は、個々の光源の出力を増減することで調光しても良いし、光源の数を増減することで調光しても良い。また、本実施例のようにＬＥＤ等の指向性のある光源を用いた照明装置であれば、光源の向きを変更することにより、検出位置において検出される照度を増減させるべく調光することも可能である。
【００８２】
上述のように、検出値と基準値と比較して調光し、検出値が基準値になるよう調光することで、設定された検出位置周辺の局所的な領域における照度に基づいて、該検出位置周辺において最適の照度が得られるべく照明することが可能になる。
【００８３】
次に、本発明の実施例１の検出位置報知手段であるレーザーポインタ２７の動作フローについて、図１０を用いて説明する。図１０は本発明の実施例１の照度検出装置２のレーザーポインタ２７の動作を説明するための動作フロー図である。
【００８４】
まず、ステップＳ１１で前記照度検出装置２が前記レーザーポインタ２７を点灯させるための点灯コマンドを受信したか否かを判断する。
【００８５】
なお、前記レーザーポインタ２７を点灯させるための点灯コマンドは、リモコン等の遠隔操作端末から送信され、前記照度検出装置２又は該照度検出装置２を備えた照明装置１に設けられたレーザーポイント用信号受信部（図示せず）にて受信する。前記レーザーポイント用信号受信部は上述した照明装置１の照明動作のために、遠隔操作端末から送信された信号を受信すべく設けられた検出コマンド受信部と兼用しても良いし、別途新たな信号受信部として設けても良い。
【００８６】
そして、点灯コマンドを受信したか否かの判断の結果、点灯コマンドを受信しなかった場合は動作フローを終了し、点灯コマンドを受信した場合はステップＳ１２へ進み、前記レーザーポインタ２７を点灯させる。
【００８７】
さらに、ステップＳ１２にて、前記レーザーポインタ２７を点灯させた後は、ステップＳ１３に進み、前記レーザーポインタ２７を消灯させるための消灯コマンドを受信したか否かを判断する。前記消灯コマンドは、前記点灯コマンドと同様に、リモコン等の遠隔操作端末から送信され、前記照度検出装置２又は該照度検出装置２を備えた照明装置１に設けられた前記レーザーポイント用信号受信部にて受信する。
【００８８】
そして、ステップＳ１３にて消灯コマンドを受信した場合はステップＳ１４に進み、受信しなかった場合は再びステップＳ１３へ戻り、消灯コマンドを受信するまでステップＳ１３を繰り返し行う。
【００８９】
さらに、ステップＳ１４では、前記ステップＳ１３において前記レーザーポインタ２７を消灯させるための消灯コマンドを受信したことに基づいて前記レーザーポインタ２７を消灯し動作フローを終了する。
【００９０】
なお、前記レーザーポインタ２７を点灯させるための点灯コマンド及び消灯コマンドは、リモコン等の遠隔操作端末から送信され、前記照度検出装置２又は該照度検出装置２を備えた照明装置１に設けられた前記レーザーポイント用信号受信部にて受信し、受信した信号に基づいて点灯／消灯の制御をするものとしたが、これに限るものではなく、例えば、前記照度検出装置２にスイッチを設けて、手動で前記スイッチがＯＮになったら点灯コマンドを送信し、ＯＦＦになったら消灯コマンドを送信するようにしても良い。
【００９１】
上述のように、本発明の実施例１において、照度検出装置２及び該照度検出装置２を備えた照明装置１は、前記照度検出位置を可変とすべく照度センサを動かす可動機構とを備える構成であるため、様々な位置に対して検出方向を調整して局所的に照度検出位置を設定し、該局所的な検出位置における照度を検出することが可能で、所望の領域における照度を局所的に検出することが可能となる。
【００９２】
また、従来のように、照度の検出方向が固定された照度検出装置照明装置を使用すると、決まった位置の照度に対応した照明制御しかできず、特に、図８に示すような外光Ｌ１の差し込む窓５３があったり、机５４の窓側にパソコン等の載置物５５が載置されていたりする場合は、局所的に作業スペースが暗くなるため、該作業スペースにおいての最適な照度となるべく照明することができなかった。
【００９３】
それに対し本発明の照度検出装置２及び該照度検出装置２を備えた照明装置は、照度の検出を局所的に行うべく、該照度センサの検出角を制限する検出角制限部材を備えており、さらに、前記照度センサの検出位置を可変とすべく前記照度センサを動かす可動機構を有しているため、図８における前記作業スペースのような様々な局所的な領域に対しても検出方向を調整して局所的に検出位置を設定し、該局所的な検出位置における照度を検出することが可能である。また、設定した検出位置における照度に基づいて、該検出位置における最適な照度で照明すべく調光することが可能となる。
【００９４】
なお、上記の例において、前記照度センサ２５が照度を検出できる角度である検出角θは、実施例１の説明の中で図５を用いて示したのと同様に、照度センサ２５の中央から前記遮光筒２６の一方の端部の開口の内周へと結ぶ直線と、前記照度センサ２５の検出軸である検出方向２１ａとがなす角度によって定義されるが、検出角の大きさは前記遮光筒の形状によって円筒の径や円筒の軸方向の長さが変化するため、例えば、図１１ａに示す遮光筒２６ａのように細長い形状のもの使用すれば小さな検出角θａになり、検出角がθの場合よりも狭い領域における照度を検出することができるようになる。狭い領域における照度を検出することができる遮光筒２６ａを用いることで、より局所的に照度を検出することができるようになる。
【００９５】
また、図１１ｂに示す遮光筒２６ｂのように、円筒の径が大きく長さの短い形状のものを使用すれば大きな検出角θｂとなって、検出角がθの場合より広い領域における照度を検出することができるようになる。広い領域における照度を検出することができる遮光筒２６ｂを用いることで、より広域的に照度を検出することができるようになる。
【００９６】
上述のように、遮光筒の形状は様々であり、その形状によって照度を検出できる角度である検出角が変化する。即ち、遮光筒の形状を調整すれば、使用者の所望する大きさの領域における照度の検出が可能となる。
【００９７】
なお、本発明の照度検出装置の実施例１においては、前記照度検出装置２は前記照明装置１に備えられる場合を例に挙げて説明したが、それに限られるものではなく、前記照度検出装置２は、前記照明装置１と別体で設けられても良い。その場合は、前記照度検出装置２によって照度の検出された照度検出位置と前記照明装置１との位置関係が予め設定される、若しくは、検出した際に前記照度検出位置と前記照明装置１との位置関係の情報を前記照明装置１に送信することが望ましい。また、前記照度検出位置と前記照明装置１との位置関係の情報は、配線等の電気的接続手段、若しくは、無線等の通信手段を用いて送信されるものである。
【００９８】
また、本発明の照度検出装置の実施例１においては、前記照度センサ２５は、検出角制限部材である前記遮光筒２６によって検出角が制限されることによって局所的な位置における照度を検出するものとしたが、それに限られるものではなく、前記照度センサ２５が指向性の強いセンサで、前記遮光筒２６のような検出角制限部材を用いることなく局所的な位置における照度を検出することが可能なセンサである場合は、前記照度センサ２５単体で照度を検出する構成としても良い。
【実施例２】
【００９９】
次に、本発明の照度検出装置及び該照度検出装置を備えた照明装置における、回動部の他の実施例について、図１２を用いて説明する。図１２は、本発明の実施例２の照度検出装置の回動部の断面図である。なお、上述した実施例１と同一部分には同一符号を付し、その説明は省略する。
【０１００】
本発明の照度検出装置の回動部２１Ｃは、実施例１と同様に、照度を検出する照度センサ２５と、前記照度センサ２５の検出方向を使用者へ放置するための検出方向放置手段であるレーザーポインタ２７とが配設された配設基板２８と、該配設基板２８を固定する略球状の回動部外装２１０とからなるものである。
【０１０１】
また、本発明の照度検出装置の回動部２１Ｃは、実施例１では設けていた、前記照度センサ２５の光軸である検出方向２１ａに対して所定の角度以上で入射する光を遮光して検出角を制限する検出角制限手段である遮光筒２６を除いた構成となっている。そして、該遮光筒２６に代わる検出角制限手段として前記回動部外装２１０の開口２１０ａを用い、前記検出方向２１ａに対して検出角θｃを超える角度で開口２１０ａに入射する光が前記照度センサ２５に入射するのを制限するものである。
【０１０２】
上述のように、本発明の回動部２１Ｃを備える照度検出装置及び該照度検出装置を備えた照明装置は、検出角制限手段を設けることによって局所的な照度の検出が可能となり、さらに、前記照度センサの検出位置を可変とすべく前記照度センサを動かす可動機構を有する点は本発明の実施例１と同様であるため、様々な位置に対して検出方向を調整して局所的に検出位置を設定し、該局所的な検出位置照度を検出することが可能である。また、設定した検出位置における照度に基づいて、該検出位置における最適な照度で照明すべく調光することが可能となる。
【実施例３】
【０１０３】
次に、本発明の照度検出装置及び該照度検出装置を備えた照明装置における、回動部の他の実施例について、図１３を用いて説明する。図１３は、本発明の実施例３の照度検出装置の回動部の断面図である。なお、上述した実施例１又は実施例２と同一部分には同一符号を付し、その説明は省略する。
【０１０４】
本発明の照度検出装置の回動部２１Ｄは、実施例１及び実施例２と同様に、照度を検出する照度センサ２５と、前記照度センサ２５の検出方向を使用者へ報知するための検出位置報知手段であるレーザーポインタ２７とが配設された配設基板２８と、該配設基板２８を固定する略球状の回動部外装２１０とからなるものである。
【０１０５】
また、実施例１では設けていた、遮光筒２６に代わって、複数の遮光筒からなり、該各遮光筒が検出角を調整可能な調整機構としての螺合機構を有することで、前記複数の遮光筒の組合せからなる遮光部の全体の長さを調整することにより検出角を調整する螺合遮光部２６ｄを設けている。
【０１０６】
上記の構成において、前記螺合遮光部２６ｄは、配設基板２８に配設された内側円筒２６１と該内側円筒２６１に螺合して円筒軸方向ｄ３に沿って動く外側円筒２６２とからなる。
【０１０７】
ここで前記内側円筒２６１の外壁面及び前記外側円筒２６２の内壁面には螺旋状の凹凸筋からなる螺合機構が設けられており、前記外側円筒２６２が円筒軸を中心として回転することにより、円筒軸方向ｄ３に沿って動くこととなる。
【０１０８】
上記の構成に置いて、前記照度センサ２５に入射する光は、前記照度センサの中心点から前記外側円筒２６２の検出方向前方の端部の内側の点とを結ぶ直線と前記検出方向２１ａとが為す角（検出角）θｄよりも小さな角度で入射してくる光であり、前記外側円筒２６２が動くことにより、検出角θｄも変化する。
【０１０９】
なお、前記外側円筒２６２が前記照度センサ２５から最も離れる位置にある場合に検出角θｄは最も小さく、前記外側円筒２６２が前記照度センサ２５に最も近い位置にある場合に検出角は最も大きい。
【０１１０】
上述のように、本発明の回動部２１Ｄを備える照度検出装置及び該照度検出装置を備えた照明装置は、様々な位置に対して検出方向を調整して局所的に検出位置を設定することに加えて、検出角θｄの調整が可能となることで、所望の検出領域の大きさに応じて最適な検出角で照度の検出が可能となる。
【実施例４】
【０１１１】
次に、本発明の照度検出装置及び該照度検出装置を備えた照明装置における、回動部の他の実施例について、図１４を用いて説明する。図１４は、本発明の実施例４の照度検出装置の回動部の断面図である。なお、上述した実施例１から実施例３と同一部分には同一符号を付し、その説明は省略する。
【０１１２】
本発明の照度検出装置の回動部２１Ｅは、実施例１と同様に、照度を検出する照度センサ２５と、前記照度センサ２５の検出方向を使用者へ報知するための検出位置報知手段が配設された配設基板２８と、該配設基板２８を固定する略球状の回動部外装２１０とからなるものである。
【０１１３】
本発明の実施例４において、前記回動部２１Ｅの配設基板２８には、前記照度センサ２５の周囲に配設されて該照度センサ２５に入射する光を遮光することで照度の検出角を制限する検出角制限部材である遮光筒２６３が配設されている。遮光筒２６３の円筒軸は前記照度センサ２５の光軸である検出方向２１ｅと略同一である。
【０１１４】
また、前記検出位置報知手段は補助スポット照明２９であり、該補助スポット照明２９は、発光素子２７０と、該発光素子２７０から出射される光の指向性を制限する指向性制限筒２６４とからなり、前記回動部２１Ｅを備える照度検出装置及び該照度検出装置を備える照明装置の補助的な照明手段として用いられる報知用照明である。
【０１１５】
なお、前記スポット照明２９が照明することが可能な補助照明角φｅは、前記発光素子２７０の中心の点から指向性制限筒２６４の前方端部の内側の点を結ぶ直線と前記照射方向２９ｅとがなす角で定義される。
【０１１６】
上記構成に置いて、前記発光素子２７０はＬＥＤ素子等の小型で指向性の高い光源であり、また、前記発光素子２７０周辺に配設された指向性制限筒２６４は、前記遮光筒２６３と略同一の円筒形状を有しており、その光軸２９ｅは、前記照度センサ２５の光軸である検出方向２１ｅと略平行である。
【０１１７】
そして、前記遮光筒２６３及び前記指向性制限筒２６４は大きさも略同一であり、前記照度センサ２５と前記遮光筒２６３にて定義される検出角θｅの大きさと、前記補助スポット照明２９の前記補助照明角φｅの大きさは略同一である。前記検出角θｅと前記補助照明角φｅを略同一の大きさにすることで、照度検出を行う際、照度検出が行われている領域がどのくらいの大きさなのか、補助照明が照明する領域を参考に知ることができる。
【０１１８】
また、前記補助スポット照明の光軸２９ｅは、前記照度センサ２５の光軸である検出方向２１ｅと略平行であるため、検出対象までの距離が近い場合であっても、遠い場合であっても、前記光軸２９ｅの示す照明の中心位置と前記検出方向２１ｅの示す検出領域の中心位置がずれないため、距離によって前記二つの中心位置が変わらず、安定した検出位置の報知、及び、補助的な照明が可能となる。
【０１１９】
上述のように、本発明の回動部２１Ｅを備える照度検出装置及び該照度検出装置を備えた照明装置は、様々な位置に対して検出方向を調整して局所的に検出位置を設定することに加えて、検出角θｅと略同一の補助照明角φｅを有する補助スポット照明２９を備えることで、照度検出が行われている領域が照明されることから、回動部２１Ｅの検出方向２１ｅだけでなく、照度検出が行われている領域がどのくらいの大きさなのか把握することが可能となる。
【実施例５】
【０１２０】
次に、本発明の照度検出装置及び該照度検出装置を備えた照明装置の他の実施例について、図１５を用いて説明する。図１５は、本発明の実施例５の照度検出装置の回動部の断面図である。なお、上述した実施例１から実施例４と同一部分には同一符号を付し、その説明は省略する。
【０１２１】
本発明の照度検出装置の回動部２１Ｆは、実施例１と同様に、照度を検出する照度センサ２５と、前記照度センサ２５の検出方向を使用者へ報知するための検出位置報知手段が配設された配設基板２８と、該配設基板２８を固定する略球状の回動部外装２１０とからなるものである。
【０１２２】
本発明の実施例５において、前記回動部２１Ｆの配設基板２８には、前記照度センサ２５の周囲に配設されて該照度センサ２５に入射する光を遮光することで照度の検出角を制限する検出角制限部材である遮光筒２６５が配設されている。遮光筒２６５の円筒軸は前記照度センサ２５の光軸である検出軸の示す検出方向２１ｆと略同一である。
【０１２３】
また、前記回動部２１Ｆには、前記検出位置報知手段として、リモコン等の遠隔操作端末からの信号を受信して照度を検出すべき位置を特定する位置情報受信部３１が配設されている。前記信号は赤外線による信号光であり、前記位置情報受信部３１は、前記遠隔操作端末より送信される赤外線の信号光を受けて、回動部２１Ｆが所望の位置の照度が図れる方向に検出方向２１ｆを調整できているかいなか判断する。
【０１２４】
なお、前記位置情報受信部３１の周囲には円筒形状の遮光筒２６６が設けられており、前記位置情報受信部３１は、該位置情報受信部３１の中心の点から前記遮光筒２６６の前方端部内側の点を結ぶ直線と、前記位置情報受信部３１の光軸である検出軸の示す検出方向３１ｆとが為す角（検出角）φｆよりも小さな角度で入射する赤外線からなる信号光を受信する。
【０１２５】
ここで、前記位置情報受信部３１の検出角φｆは、前記照度センサ２５の検出角θｆと同一もしくは、前記検出角φｆが検出角θｆよりも小さいことが望ましい。前記照度センサの検出角θｆと比較して略同一もしくは小さな領域を検出対象とすることで、前記位置情報受信部３１が前記遠隔操作端末からの信号を受信した方向と所望の照度の検出方向とが略同一方向にすることができる。
【０１２６】
また、前記位置情報受信部３１が前記遠隔操作端末からの信号を受信する際、前記遠隔操作端末は、使用者が所望する検出位置の中央付近で、該所望の検出位置から前記回動部２１Ｆ及び該回動部２１Ｆが備えられた照度検出装置に向かって信号を送信すべく配設されるものである。
【０１２７】
そして、前記照度検出装置は、前記位置情報受信部３１にて受信した信号に基づき、検出位置報知手段であるブザー（図示せず）を鳴動させて、前記照度センサ２５の検出方向２１ｆが所望の位置にあることを報知するものである。
【０１２８】
次に、図１６を用いて、検出方向２１ｆの調整動作について説明する。図１６は、前記遠隔操作端末を用いて検出位置を設定する際の動作フロー図である。
【０１２９】
まず、ステップＳ２１にて、照度検出装置の検出位置を設定するための検出位置調整動作開始信号を受信したか否か判断する。該検出位置調整動作開始信号を受信した場合はステップＳ２２に進み、受信しなかった場合は動作フローを終了する。
【０１３０】
そして、ステップＳ２２にて回動部２１Ｆは検出位置を設定するために回動動作を開始する。
【０１３１】
さらに、ステップＳ２２の後にステップＳ２３へと進み、該ステップＳ２３で、前記回動部２１Ｆに設けた位置情報受信部３１にて位置設定用信号を受信したか否かを判断する。該設定用信号を受信した場合はステップＳ２４へと進み、受信しなかった場合は、設定用信号を受信するまでステップＳ２３を繰り返す。
【０１３２】
その後、ステップＳ２４では、前記位置情報受信部３１が前記位置設定用信号を受信したことに基づき、前記回動部２１Ｆの動作を停止し、検出位置報知手段である報知ブザーを鳴動させる。
【０１３３】
そして、ステップＳ２４にて前記回動部２１Ｆの動作を停止し、検出位置報知手段である報知ブザーを鳴動させた後はステップＳ２５に進み、検出位置の設定を終了するための検出位置調整動作終了信号を受信したか否か判断する。該検出位置調整動作終了信号を受信した場合は、ステップＳ２６に進みブザーを停止させ動作フローを終了する。また、該検出位置調整動作終了信号を受信しなかった場合は、受信しなかった場合は、検出位置調整動作終了信号を受信するまでステップＳ２５を繰り返す。
【０１３４】
なお、前記検出位置調整動作開始信号及び検出位置調整動作終了信号は、前記回動部２１Ｆを備えた照度検出装置及び該照度検出装置を備えた照明装置に別途設けられた動作信号受信部（図示せず）にて受信する。また、前記動作信号受信部は、前記位置情報受信部３１とは異なり、広範囲からの信号を受信することが望ましく、どの方向から信号が来ても受信できるような、指向性の弱い受信部であることが望ましい。
【０１３５】
また、前記検出位置調整動作終了信号は、前記位置情報受信部３１で受信しても良い。該検出位置調整動作終了信号を受信する際、前記回動部２１Ｆ所望の検出位置を向いているため、前期位置情報受信部３１でも前記遠隔操作端末からの信号を受信することができるためである。
【０１３６】
次に、前記図１６の動作フロー図におけるステップＳ２２にて行う回動動作について、図１７ａ及び図１７ｂを用いて説明する。図１７ａは回動動作時の検出方向が移動する際の軌跡の一例を示す説明図である。図１７ｂは回動動作時の検出方向が移動する際の軌跡の他の例を示す説明図である。
【０１３７】
まず、回動動作時の検出方向が移動する際の軌跡の一例は、図１７ａに示す通り、検出可能範囲Ａ０の中心付近の点Ｐ２１を始点として、渦状に径を広げながら検出方向を変化させていくものである。
【０１３８】
また、他の一例としては、図１７ｂに示す通り、検出可能範囲Ａ０の四隅のうち１つの隅Ｐ３１を選択し、選択した前記１つの隅付近の点Ｐ３１から他の隅に向かうべく、前記検出可能範囲Ａ０の一辺に沿って点Ｐ３２まで検出方向を移動（走査）させた後、垂直に検出範囲の直径分移動させて点Ｐ３３まで移動し、最初の検出方向と逆の方向に移動（走査）させて点Ｐ３４まで移動し、再び垂直に検出範囲の直径分移動するという動作を繰り返すことで検出可能範囲Ａ０全体を走査する。
【０１３９】
上述のように、本発明の回動部２１Ｆを備える照度検出装置及び該照度検出装置を備えた照明装置は、様々な位置に対して検出方向を調整して局所的に検出位置を設定することに加えて、前記遠隔操作端末及び位置情報受信部３１によって所望の検出位置で前記検出報知手段が鳴動することで、所望の検出位置になっていることを知ることができる。
【０１４０】
また、前記回動部２１Ｆは、実施例１にて説明したものと同様の回動機構を備えており、回動部外装の球殻形状の中心を回動の中心として、任意の方向に回動することが可能となる。そして、前記回動部２１Ｆが、任意の方向に回動することが可能であるため、図１７ａ及び図１７ｂに示すような複雑な軌跡に沿って、照度検出位置を動かすことが可能となる
なお、本発明の実施例１から実施例５にて開示した照度検出装置を備えた照明装置はあくまで一例であり、様々な態様の照明装置に適用することが可能である。例えば、図１８（ａ）に示すような蛍光灯を用いた照明装置１Ａや、図１８（ｂ）に示す正方形形状の照明装置１Ｂ、図１８（ｃ）のような円形のシーリングライトのような照明装置１Ｃに用いることが可能である。
【符号の説明】
【０１４１】
１  照明装置
２  照度検出装置
１１  照明装置外装部
１１ａ  設置側主面
１２  光源カバー
２１，２１Ａ，２１Ｂ２１Ｃ，２１Ｄ，２１Ｅ，２１Ｆ  回動部
２１ａ，２１ｅ，２１ｆ，３１ｆ  検出方向（検出軸）
２２  支持部
２３  前方支持部
２３ａ  検出用孔
２４  後方支持部
２４ａ  配線用孔
２５  照度センサ
２６，２６３，２６５，２６６  遮光筒
２６ｄ  遮光部
２７  レーザーポインタ（検出位置報知手段）
２７ａ，２９ｅ  光軸
２８  配設基板
２９  補助スポット照明（検出位置報知手段，報知用照明）
３１  位置情報受信部
１１０ａ，１１０ｂ  光源カバー固定手段
２１０  回動部外装
２１０ａ  開口
２１１  配設台
２１１ａ  配線用孔
２１２  調整用つまみ
２６１  内側円筒
２６２  外側円筒
２６４  指向性制限筒
２７０  発光素子
θａ，θｂ，θｃ，θｄ，θｅ，θｆ，φｆ  検出角
φｅ  補助照明角
Ａ０  検出可能範囲
【図１】
2010223924.tif 000003
【図２】
2010223924.tif 000004
【図３】
2010223924.tif 000005
【図４】
2010223924.tif 000006
【図５】
2010223924.tif 000007
【図６】
2010223924.tif 000008
【図７】
2010223924.tif 000009
【図８】
2010223924.tif 000010
【図９】
2010223924.tif 000011
【図１０】
2010223924.tif 000012
【図１１ａ】
2010223924.tif 000013
【図１１ｂ】
2010223924.tif 000014
【図１２】
2010223924.tif 000015
【図１３】
2010223924.tif 000016
【図１４】
2010223924.tif 000017
【図１５】
2010223924.tif 000018
【図１６】
2010223924.tif 000019
【図１７ａ】
2010223924.tif 000020
【図１７ｂ】
2010223924.tif 000021
【図１８】
2010223924.tif 000022
【図１９】
2010223924.tif 000023